(57)【要約】【課題】簡単な構造で階段の上げ下ろしを容易に行うことができ、しかも、階段の折り返し部分やエレベーターなどのような狭い部分であっても容易に使用することのできる担架を提供することを目的とする。【解決手段】被搬送者を載置させた状態で地面や床面を滑走させて搬送する担架１において、地面や床面、階段の各段角部に接触した状態で滑走させる裏面側の滑走部５の一部に、階段における角部に係止させる係止部５２を設けるようにする。そして、階段の角部にこの係止部５２を係止させ、テコの原理を利用して、係止と解除を繰り返すことで一段ずつ階段を降ろせるようにする。また、被搬送者の腰部と下肢部を屈曲させ、また、脚を左右に開いた状態で担架本体２に載置できるようにする。【選択図】図５
2009095571.tif 000002
【特許請求の範囲】
【請求項１】
被搬送者を載置した状態で床面を滑走させて搬送する担架において、
地面や床面、階段の角部に接触した状態で滑走させる滑走部の一部に、階段の角部に係止させる係止部を設けたことを特徴とする担架。
【請求項２】
前記載置部が、被搬送者の脚部と腰部を屈曲させた状態で載置する屈曲形状に構成されたものであり、前記係止部が、載置部における腰部の屈曲した裏面に設けられるものである請求項１に記載の担架。
【請求項３】
前記係止部が、滑走部から曲面状に形成されたものである請求項１に記載の担架。
【請求項４】
前記係止部を搬送方向に沿って複数設けた請求項１に記載の担架。
【請求項５】
前記滑走部の一部に係止部を形成するための部材を着脱可能に設けた請求項１に記載の担架。
【発明の詳細な説明】
【技術分野】
【０００１】
本発明は、負傷者などの被搬送者を搬送させる担架に関し、より詳しくは、被搬送者などを載置した状態で階段を上げ下ろしさせることのできる担架の構造に関するものである。
【背景技術】
【０００２】
従来より、負傷者や病人、身体の不自由な人を搬送する担架として、手持式担架、バスケット式担架などが存在する。これらの担架のうち、図８（ａ）に示すような手持式担架１００は、左右一対の支持杆１０１と、その支持杆１０１の間に跨って設けられた寝台布１０２とを設けて構成されるもので、使用時には左右の支持杆１０１を広げて被搬送者を寝台布１０２の上に載せ、搬送できるようにしたのものである。また、図８（ｂ）に示すように、左右の支持杆１０１をパイプで固定し、軽合金板などで載置部１０３を構成した手持式担架も存在する。一方、バスケット式担架は、図示しない被搬送者を載置することのできる椀状のバスケットと、当該バスケット内で被搬送者を固定する寝台や固定ベルトなどを備えてなるもので、被搬送者をバスケット内に収容した状態で持ち上げたり床面などを滑らせたりして搬送できるようにしたものである。
【０００３】
ところで、これらの手持式担架やバスケット式担架は、階段などで使用する際に、下側の担ぎ者に大きな負担がかかり、また、上側の担ぎ者は腰を屈めて保持しなければならないため、階段での使用には余り適していない。さらに、このような担架は、階段で方向転換する際の折り返し部分やエレベーターで使用する際には、長い支持杆やバスケットが邪魔になって使用することができないといった問題もある。
【０００４】
このため、階段などでも容易に使用できるようにした担架が各種提案されている。
【０００５】
例えば、下記の特許文献１には、図９に示すように、複数の車輪をベルトで巻き付けて無限軌道１１１を構成し、これによって階段などのように段差を有する部分であってもスムーズに被搬送者を搬送できるようにした担架１１０が提案されている。
【０００６】
また、下記の特許文献２には、図１０に示すように、左右一対（紙面奥行方向）に９０度、６０度、３０度の直角三角形をなすフレーム１２１を設け、これらのフレーム１２１の間に寝台１２３を取り付けるとともに、フレーム１２１の下端であるコーナー部分近傍に車輪１２２を取り付けるようにした担架１２０が提案されている。そして、床面などの平坦な場所では、車輪１２２を利用して被搬送者を搬送できるようにし、また、階段などのような段差を有する斜面では、３０度に傾斜したフレーム１２１を角部に接触させて滑走させるようにしている。
【特許文献１】特開２００５−２６１８０１号公報
【特許文献２】特開２００７−０８２９９６号公報
【発明の開示】
【発明が解決しようとする課題】
【０００７】
しかしながら、このような担架では次のような問題を生ずる。
【０００８】
まず、第一に、無限軌道状のベルトを設けて階段を上げ下ろしさせる構造や、フレームを滑らせて階段を上げ下ろしさせる構造であると、担架を持っている人が手を誤って放してしまった場合に、担架が階段から滑り落ちてしてしまうという問題がある。
【０００９】
また、階段から担架を持ち上げて搬送する場合、担架を持っている人は休みなく担架を持ち上げる方向に力を付与し続けなけれならず、搬送する者の体力を奪ってしまうという問題を有する。
【００１０】
さらには、このような担架は、いずれも縦長方向の距離を長く構成しているため、階段での折り返し部分で方向転換をする場合、先端部分と後端部分が階段の壁面に当たってしまい、方向転換をすることができない。また、エレベーターが設けられている場合であっても、エレベーターを使用しようとすると、担架をエレベーター内に収納することができず、エレベーターを使用することができない。
【００１１】
加えて、フレームに車輪を設ける構造であると、機構が複雑となり、コスト高になってしまうばかりでなく、車輪のメンテナンスなども必要になってしまう。
【００１２】
そこで、本発明は上記課題に着目してなされたもので、簡単な構造で階段の上げ下ろしを容易に行うことができ、しかも、階段の折り返し部分やエレベーターなどのような狭い部分であっても容易に使用することのできる担架を提供することを目的とする。
【課題を解決するための手段】
【００１３】
すなわち、本発明は上記課題を解決するために、被搬送者を載置した状態で地面や床面を滑走させて搬送する担架において、床面や階段の角部に接触した状態で滑走させる滑走部の一部に、階段の角部に係止させる係止部を設けるようにしたものである。
【００１４】
このように構成すれば、階段の各段の角部に係止部を係止させながら一段ずつ階段を上げ下ろしさせるようにすることができるため、力を入れたり緩めたりすることで階段を上げ下ろしすることができるようになる。また、仮に、担架を持つ者が誤って手を滑らしたとしても、係止部が階段の角部に引っ掛かるため、担架が階段を滑り落ちてしまうといった不具合を防止することができるようになる。さらには、狭いエスカレーターでの使用が可能となる。
【００１５】
また、このような発明において、好ましくは、被搬送者の脚部と腰部を屈曲させた状態で被搬送者を載置させるような形状に構成し、そして、このように屈曲した形状に構成された載置部の裏面に係止部を設けるようにする。
【００１６】
このようにすれば、脚部や腰部を屈曲させた状態で被搬送者を載置することができるので、縦方向の距離を短くすることができ、階段の折り返し部分で方向転換することができるようになる。また、狭いエレベーター内に収納することができ、エレベーターを利用して被搬送者を上げ下ろしすることができるようになる。さらには、屈曲した裏面に係止部を設けているので、階段においてはテコの原理を利用して、他の湾曲した裏面部分を支点として係止部の係止の解除と滑走を行わせることができるようになる。また、湾曲部に座布団状のクッションやマット類を敷くことで、よりスムーズに床面を滑走させることができるようになる。
【００１７】
さらには、前記係止部を、裏面の滑走部から曲面状に形成する。
【００１８】
このようにすれば、階段の角部に係止部を係止させる場合に、その滑走部から曲面状に形成された係止部に階段の角部に係止させることができるので、被搬送者に大きな衝撃を与えることなく、担架を上げ下ろしすることができる。
【００１９】
加えて、係止部を搬送方向に沿って複数設けるようにする。
【００２０】
このようにすれば、階段のピッチと各係止部の間隔が異なるような場合であっても、小刻みに各階段の角部に係止させることができるので、滑走時に次の階段の角部まで加速してしまって係止部に掛け損なってしまうといった不具合がなくなる。
【００２１】
また、滑走部の一部に係止部を形成するための部材を着脱できるようにする。このとき、係止部を有する部材を滑走面の凹部に取り付けるようにしてもよく、あるいは、滑走部の表面に凸状の部材を取り付けて、滑走部との段差によって係止部を構成してもよい。
【００２２】
このようにすれば、長年の使用によって係止部が摩耗してしまった場合であっても、その係止部を他の新しい部品に付け替えることで、担架を使用し続けることができるようになる。
【発明の効果】
【００２３】
本発明によれば、被搬送者を載置した状態で床面を滑走させて搬送する担架において、地面や床面、階段の角部に接触した状態で滑走させる滑走部の一部に、階段の角部に係止させる係止部を設けるようにしたので、階段の各段の角部に係止部を係止させながら一段ずつ上げ下ろしすることができ、力を入れたり緩めたりすることで階段を上げ下ろしさせることができるようになる。また、仮に、担架を持つものが手を滑らしたとしても、係止部が階段の角部に引っ掛かるため、担架が階段の下まで滑り落ちるといった不具合がなくなる。
【発明を実施するための最良の形態】
【００２４】
以下、本発明の一実施の形態について図面を参照して説明する。図１は、本実施の形態である担架１の外観斜視図を示したものであり、図２はその背面からの外観斜視図を示したものである。また、図３は、縦長方向の中央断面図を示したものである。
【００２５】
この実施の形態における担架１は、被搬送者を載置するための載置部３と、この載置部３に載置された被搬送者を搬送する際に搬送者が力を付与するための保持部４と、載置部３の裏面側に設けられた湾曲した面状の滑走部５とを設けて担架本体２を構成したものであって、滑走部５に階段の角部に係止させる係止部５２を設けるようにしたものである。以下、本実施の形態における担架１の構造について詳細に説明する。
【００２６】
この担架本体２は、繊維強化プラスチック（ＦＲＰ）などの合成樹脂などによって一体的に成形されるものであって、その上面側に被搬送者を載置するための載置部３を設け、また、その裏面側の周辺部に、搬送者が手を掛けて持ち上げるための保持部４を設けるとともに、裏面全体にわたって曲面を形成する滑走部５を設けるようにしている。
【００２７】
この担架本体２に設けられる載置部３は、平均的な大きさの人間を載置できるような大きさや形状に設定されるもので、頭部載置部３１と、背部載置部３２と、脚載置部３３とを設けるようにしている。このうち、頭部載置部３１と背部載置部３２には、人間の頭部や首、背中の形状に合わせた湾曲面を形成し、また、臀部から大腿部にかけては腰部をＬ字状に屈曲させた腰部屈曲部３４を設け、また、大腿部の先端部分については下肢部に向けてＬ字状に屈曲させて下肢屈曲部３５を設けている。なお、下肢部の先端側については、可能な限り縦長方向への長さを短くするために、下肢部を載置しないフリーな状態としている。また、この腰部屈曲部３４から下肢屈曲部３５にかけて設けられる脚載置部３３については、左右の脚を開かせた状態で載置するように右側脚載置部３６と左側脚載置部３７を設けており、使用の際には、マットやブランケットなどを載置させて楽に使用できるようにしている。なお、この載置部３には、搬送時に被搬送者を固定できるようにするためのベルトやバックルなどを設けるようにしてもよい。
【００２８】
この載置部３の周辺端部の裏面側に設けられる保持部４は、この合成樹脂を裏側に湾曲状に折り返して形成されるものであって、その折り返し部分の任意の位置に手を掛けられるようにすることで、被搬送者を持ち上げられるようにしている。また、右側脚載置部３６と左側脚載置部３７の間には、金属製部材などによって構成された連結部４１が取り付けられており、さらに、その連結部４１における中央部分、すなわち、右側脚載置部３６と左側脚載置部３７の中央地点から開脚部分の分岐点にかけては取手４２が取り付けられる。そして、少人数（例えば、２人）で被搬送者を搬送する場合は、被搬送者における頭部近傍の保持部４に一方の搬送者が手を掛け、他方の搬送者が脚部近傍における連結部４１や取手４２に手を掛けて搬送する。あるいは、右側脚載置部３６と左側脚載置部３７の両外側に手を掛けて搬送する。このとき、脚部側における搬送者は、被搬送者の開いた脚部の間に手を入れて保持することができるので、より体に近い側で被搬送者を保持することができ、安定して被搬送者を保持することができるようになる。また、このように被搬送者を搬送する場合、腰部や脚部を屈曲させた状態で搬送させるようにするので、縦方向の長さを短くした状態で搬送することができ、２人でも持ち上げることができる。すなわち、従来のバスケット型の担架では、縦長方向の距離が長くなって不安定となり、また、脚部を閉じた状態で搬送するため、少なくとも４人いなければ安定して搬送することができない。しかしながら、上記担架１では、屈曲型の担架本体２を用いているため、２人でも安定して持ち上げることができるようになる。なお、被搬送者の体重などによって必要が生じた場合は、頭部の上方の保持部４に手を掛けるとともに、脚載置部３３の間に設けられた連結部４１や取手４２などにも手を掛けて４人で搬送することもできる。
【００２９】
一方、この載置部３の裏面に設けられる係止部５２は、階段の角部に一時的に引っ掛けて一段ずつ階段を上げ下ろしできるようにしたもので、第一の実施の形態では、載置された人間の重心部分よりも下方（脚部側を下方とする）であって、好ましくは、臀部近傍に第一の係止部５２を設けるようにする。また、もう一方の係止部５２については、載置された人間の重心部分よりも上方（頭部側を上方とする）に設けるようにしている。これらの係止部５２は、繊維強化プラスチックで構成された担架本体２の裏面を横方向に直線的に窪ませて形成したもので、担架本体２の滑走部５から急激な角度変化を有することなく、連続した湾曲面を形成するようにしている。そして、このように湾曲面を形成することによって、滑らかに階段の角部に係止させて衝撃を生じさせないようにしている。
【００３０】
ところで、この係止部５２については、図４に示すような構造を用いることもできる。図４では、繊維強化プラスチックを窪ませて係止部５２を形成するのではなく、着脱可能な係止部５２を取り付け、これによって係止部５２が摩耗により使用できなくなった場合であっても、他の係止部５２に付け替えることができるようにしている。なお、図４における係止部５２についても、一方の係止部５２を重心部分よりも下方に設け、他の形片を重心部分よりも上方に設けるようにしている。この係止部５２は、担架本体２の裏面から連続した曲面を形成できるように湾曲した山型をなすように形成され、これにより、係止部５２によって急激な衝撃を生じさせないようにしている。但し、この突状の係止部５２については、平坦な床面や地面でバスケットを滑らせる際に引っ掛かりの原因となる可能性があるため、好ましくは、背中の湾曲した曲面の内側であって床面を滑走させる際に接触しないような位置に設けるようにする。
【００３１】
次に、このように構成された担架１の使用方法について図５から図７を用いて説明する。
【００３２】
まず、被搬送者を載置した担架１を階段から降ろす場合、担架１を滑らせた状態で下側の係止部５２をある階段の角部に係止させる（図５（ａ）の状態）。このとき、係止部５２の上側に人間の重心部分が存在しているため、係止部５２に対して大きな荷重がかかり、しっかりと階段の角部に食い込んだ形で係止された状態となる。そして、この状態で、上側で担架１を保持している者が、頭部側を押し下げるとともに、下側で担架１を保持している者が、脚部側を上側に持ち上げる（図５（ｂ）の状態）。すると、係止されている階段よりも上側の階段の角部が担架本体２の裏面に当接し、そこが支点５３となってテコの原理によって係止状態が解除される（図５（ｂ））。そして、このようにして係止状態を解除した後、担架本体２を持っている力を緩めて下側へ滑らしていき（図６（ｃ））、上側に設けられた係止部５２を別の階段の角部に係止させる（図６（ｄ））。このとき、下側の係止部５２は、まだ、次の段の角部まで落ちることなく、次の段までの中途に位置する状態となる。そして、このように上側の係止部５２を係止させた状態から、その係止部５２よりも下側の滑走部５を階段の角部に当接させ、そこを支点５３として、頭部側を持ち上げる（図７（ｅ））。すると、上側の係止部５２が解除されて、担架本体２が滑っていき、下側の係止部５２が次の段の角部に係止するようになる（図７（ｆ））。そして、これらの動作を繰り返していくことによって、一段ずつ階段を降ろしていく。
【００３３】
なお、直線状の階段を降ろしていく場合は、上述のような動作を繰り返していくことによって被搬送者を降ろすことができるが、被搬送者を上層階へ持ち上げる場合は、一段ずつ上側の係止部５２を係止させ、テコの原理を利用して係止の解除と担架本体２の持ち上げ動作を行い、次に下側の係止部５２を上の階段の角部に係止させていく。そして、このような一段ずつの持ち上げ動作を繰り返していくことによって担架本体２を上層階へ持ち上げていく。
【００３４】
このように、上記実施の形態によれば、被搬送者を載置させた状態で地面や床面を滑走させて搬送する担架１において、地面や床面、階段の各段角部に接触した状態で滑走させる滑走部５の一部に、階段における角部に係止させる係止部５２を設けるようにしたので、階段の各段における角部に係止部５２を係止させながら一段ずつ階段を上げ下ろしさせることができ、力を入れたり緩めたりすることで階段を上げ下ろしすることができるようになる。また、仮に、担架１を持つものが手を滑らしたとしても、係止部５２が階段の角部に引っ掛かるため、担架１が階段の下まで滑り落ちてしまうという不具合を防止することができるようになる。
【００３５】
また、被搬送者の脚部と腰部を屈曲させるための下肢屈曲部３５と腰部屈曲部３４を有するような形状に構成し、そして、腰部屈曲部３４における屈曲した裏面に係止部５２を設けるようにしたので、脚部や腰部を屈曲させた状態で載置させることができ、縦方向の距離を短くすることができる。これにより、階段の折り返し部分で方向転換を行うことができ、また、狭いエレベーター内へ収納して搬送することができる。さらには、屈曲した裏面に係止部５２を設けるので、テコの原理を利用して、他の湾曲した裏面部分を支点５３として係止の解除と滑走を行わせることができる。
【００３６】
さらには、係止部５２を、裏面の滑走部５から湾曲するような湾曲面を形成するようにしたので、階段を滑らせながら階段の角部に係止させる際に、その湾曲面に沿ってスムーズに階段の角部に係止させることができ、載置部３に載置された被搬送者に大きな衝撃を与えるようなことがなくなる。
【００３７】
加えて、係止部５２を搬送方向に沿って複数設けるようにしたので、小刻みに各階段の角部に係止させながら上げ下ろしをすることができ、被搬送者を階下へ降ろす場合に、次の階段の角部までの間に担架本体２が加速して、係止部５２を掛け損なってしまうというような事態を防ぐことができる。
【００３８】
また、図４では、滑走部５の一部に凹部５１を形成し、この凹部５１に係止部５２を着脱できるようにしたので、長年の使用によって係止部５２が摩耗した場合であっても、その係止部５２を他の新しい係止部５２に取り替えることで、長年にわたって担架１を使用し続けることができるようになる。
【００３９】
なお、本発明は上記実施の形態に限定されることなく、種々の態様で実施することができる。
【００４０】
例えば、上記実施の形態では、繊維強化プラスチックでバスケット状の担架本体２を形成するようにしたが、左右一対のフレームの間に寝台を設け、そのフレームの一部に階段の角部に係止させるための係止部５２を設けるようにしてもよい。
【００４１】
さらに、図４では、繊維強化プラスチックの裏面に凹んだ係止部５２を設けるようにしているが、裏面の滑走部５にくさび状の係止片を取り付け、その段差によって係止部を構成するようにしてもよい。または、図１１のように、摩擦により摩耗の激しくなる滑走部５の一部に凸状部材６を取り付けて交換できるようにするとともに、この凸状部材６と滑走部５との段差によって係止部５２を構成するようにしてもよい。
【００４２】
加えて、上記実施の形態では、搬送方向と直角方向に一本の係止部５２を設けるようにしたが、搬送方向に沿った中心線を挟んで左右交互に段違いな係止部５２を設け、階下へ降ろす場合に、左右に揺らしながら担架本体２を降ろせるようにしてもよい。
【図面の簡単な説明】
【００４３】
【図１】本発明の一実施の形態における担架の正面側の外観斜視図
【図２】同形態における担架の裏面側の外観斜視図
【図３】同形態における縦方向の中央断面図
【図４】他の実施の形態における係止部の取り付け構造を示す図
【図５】同形態における担架を用いて階段を下りる状態を示す図
【図６】同形態における担架を用いて階段を下りる状態を示す図
【図７】同形態における担架を用いて階段を下りる状態を示す図
【図８】従来例における担架の構造を示す図
【図９】従来例における担架の構造を示す図
【図１０】従来例における担架の構造を示す図
【図１１】他の実施の形態における担架における縦方向の中央断面図
【符号の説明】
【００４４】
１・・・担架
２・・・担架本体
３・・・載置部
３１・・・頭部載置部
３２・・・背部載置部
３３・・・脚載置部
３４・・・腰部屈曲部
３５・・・下肢屈曲部
３６・・・右側脚載置部
３７・・・左側脚載置部
４・・・保持部
４１・・・連結部
４２・・・取手
５・・・滑走部
５１・・・凹部
５２・・・係止部
５３・・・支点
６・・・凸状部材
【図１】
2009095571.tif 000003
【図２】
2009095571.tif 000004
【図３】
2009095571.tif 000005
【図４】
2009095571.tif 000006
【図５】
2009095571.tif 000007
【図６】
2009095571.tif 000008
【図７】
2009095571.tif 000009
【図８】
2009095571.tif 000010
【図９】
2009095571.tif 000011
【図１０】
2009095571.tif 000012
【図１１】
2009095571.tif 000013